Podtech/llm-jp-corpus-v4-ja_patent huggingface dataset:
【手続補正書】
【提出日】平成18年9月28日(2006.9.28)
【手続補正１】
【補正対象書類名】明細書
【補正対象項目名】特許請求の範囲
【補正方法】変更
【補正の内容】
【特許請求の範囲】
【請求項１】
データ処理コア（３０，３２，３４，３６）及び命令システム（２４）を有するデータ処理システム（１０）であって、前記命令システム（２４）が前記データ処理コア（３０，３２，３４，３６）により実行されるべき処理を選択する処理選択フィールドを有する命令ルートを備える、前記データ処理システム（１０）において、
命令プレフィックスが複数のフィールドから選択可能な少なくとも１つのフィールドに適応するのを可能にするための選択可能な長さを有する前記命令プレフィックスを備えることを特徴とするデータ処理システム（１０）。
【請求項２】
前記選択可能なフィールドのうちの１つが、条件付き実行フィールドであり、
前記命令ルート及び前記命令プレフィックスが、命令を備え、
前記データ処理コア（３０，３２，３４，３６）による前記命令の実行が、前記命令プレフィックスの前記条件付き実行フィールドに基づいて条件付けられる
請求項１記載のデータ処理システム（１０）。
【請求項３】
前記命令が、２以上の命令ルートを含む請求項２記載のデータ処理システム（１０）。
【請求項４】
２ｍ個のレジスタの２ｎ個のバンクを更に備え、
前記命令プレフィックスが、前記２ｍ個のレジスタの２ｎ個のバンクのうちの１つのバンクを選択する幅ｎのレジスタ・バンク選択フィールドを有し、
前記命令ルートが、前記２ｎ個のバンクのうちの前記選択されたバンクの中の２ｍ個のレジスタのうちの１つを選択する幅ｍのレジスタ選択フィールドを有する
請求項１から３のいずれか一項に記載のデータ処理システム（１０）。
【請求項５】
前記処理選択フィールドが、第１の長さを有するオペランド上で実行されるべき処理を選択するよう構成されており、
前記命令プレフィックスが、第２の幅を有するオペランド上で実行されるように前記の選択された処理を変更するためのオペランド幅変更フィールドを有する
請求項１から４のいずれか一項に記載のデータ処理システム（１０）。
【請求項６】
前記命令プレフィックスが、１つの群を構成するよう複数の前記命令ルートを選択するための命令群フィールドを有し、
前記データ処理コアが、前記群により選択された全ての処理の実行を同時に開始する
請求項１から５のいずれか一項に記載のデータ処理システム（１０）。
【請求項７】
前記データ処理コア（３０，３２，３４，３６）が、第１及び第２のタイプの処理を順次に且つ複数の前記第１のタイプの処理を並列に実行するよう構成されており、
前記処理選択フィールドが、前記データ処理コア（３０，３２，３４，３６）により実行されるべき前記第１及び第２のタイプの処理のうちの１つを選択するよう構成されており、
前記処理選択フィールドが、幅ｎのタイプ・サブフィールドを有し、
前記ｎの値には、
前記第１タイプの処理を順次に実行する場合は第１の値が割り当てられ、又は
前記第１タイプの処理を並列に実行する場合は第２の値が割り当てられ、又は
前記第２タイプの処理を実行する場合は残りの（２n−２）個の値から選択された第３の値が割り当てられる
請求項１から６のいずれか一項に記載のデータ処理システム（１０）。
【請求項８】
前記データ処理コア（３０，３２，３４，３６）が、第１及び第２のタイプの処理を順次に且つ複数の前記第１のタイプの処理を並列に実行するよう構成されており、
前記処理選択フィールドが、前記データ処理コア（３０，３２，３４，３６）により実行されるべき前記第１及び第２のタイプの処理のうちの１つを選択するよう構成されており、
前記処理選択フィールドが、タイプ・サブフィールドを有し、
前記タイプ・サブフィールドが、
順次に実行されるべき前記第１タイプの処理に関しては第１の値を、又は
並列に実行されるべき前記第１タイプの処理に関して、および順次に実行されるべき前記第２タイプの処理のうちの少なくとも１つの選択された処理に関しては第２の値を有する
請求項１から６のいずれか一項に記載のデータ処理システム（１０）。
【手続補正書】
【提出日】平成17年10月13日(2005.10.13)
【手続補正１】
【補正対象書類名】明細書
【補正対象項目名】００１０
【補正方法】変更
【補正の内容】
【００１０】
即ち、マジックバンドはオスとメスから成り、オスがメスに食い込んで固定する構造となっているが、ポリオレフィン系のマジックバンドはポリオレフィンの材質的特性のため、オスとの結合に優れたメスを作るとき平滑にするのが技術的に難しく、材質的特性を改良した結果としてその価格を高価なものとしている。さらに、ポリオレフィン系のワンタッチ吊り下げ標識にポリオレフィン系のマジックバンドを接着させるには高価で加工性の悪い超音波ウエルダ−が必要となり、加工費を上昇させることになってしまうなど、製品のト−タルコストを上昇させ、塩化ビニル製のワンタッチ吊り下げ標識と同価格で提供するのは困難であるとの問題を抱えている。
【手続補正２】
【補正対象書類名】明細書
【補正対象項目名】００１９
【補正方法】変更
【補正の内容】
【００１９】
７は、止め部であり、８は、差し込み口である。さらに、止め部７を２つに折り込み前縁部をウエルダ−で接着し２重のシート形状とすると補強された止め部７ａとなって、６図に示めされるようなもう一つの本発明の簡易ワンタッチ吊り下げ標識が完成される。図６の９は接着部であり、高周波ウエルダ−などによって結合される。
【手続補正３】
【補正対象書類名】明細書
【補正対象項目名】００２０
【補正方法】変更
【補正の内容】
【００２０】
止め部７全てを差し込み口８に通して後部に移動させると、止め部７は差し込み口８より大きく作られているので止め部７は抜けなくなり、図７に示されるように、しっかりと固定される。この方法によれば、止め部７と差し込み口８の間には、その距離に見合った大きさの円筒が形成され、単管やロープを通せる空間が出来ることとなる。
【手続補正４】
【補正対象書類名】明細書
【補正対象項目名】００２３
【補正方法】変更
【補正の内容】
【００２３】
実地での使用状態を説明することによって、この発明をさらに補足説明する。
図５に示される本発明の製品は、例えば、建築現場のロープ、バリケード、単管に吊して使用されるが、止め部７をもってロープに巻き付けてから縦方向に丸めて差し込み口８に挿入する。
【手続補正５】
【補正対象書類名】明細書
【補正対象項目名】図面の簡単な説明
【補正方法】変更
【補正の内容】
【図面の簡単な説明】
【図１】
現行のマジックバンド方式ワンタッチ吊り下げ標識の実地での使用例。
【図２】
マジックバンド方式ワンタッチ吊り下げ標識の平面図。
【図３】
ボタン方式ワンタッチ吊り下げ標識の平面図。
【図４】
本発明の簡易ワンタッチ吊り下げ標識の表示内容を印刷した平面図。点線部は抜きとり予定部分。
【図５】
本発明の簡易ワンタッチ吊り下げ標識の完成平面図。
【図６】
図５の止め部を２つに折って接着し２重にして、止め部の強度を増加させたもう１つの本発明になる簡易ワンタッチ吊り下げ標識の完成平面図。
【図７】
本発明の簡易ワンタッチ吊り下げ標識の実地での使用例。
【符号の説明】
１．単管またはロープ
２．マジックバンド
３．マジックバンド  オス
４．マジックバンド  メス
５．ボタン  オス
６．ボタン  メス
７．止め部
７ａ．二重重ねにした止め部
８．差し込み口
９．接着部
【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
少なくとも一部が透明な樹脂で成形された表面側ケースと裏面側ケースとを接合して、
内部に物品が収納されるパッケージにおいて、
前記表面側ケースと、前記裏面側ケースとが連続して樹脂成形される形状とし、
前記表面側ケースと前記裏面側ケースとには、前記それぞれのケースどうしを係合させるように切り込みが形成された第１の係合用突起部がそれぞれ設けられている
パッケージ。
【請求項２】
請求項１記載のパッケージにおいて、
前記表面側ケースと前記裏面側ケースとの一方には、第２の係合用突起部が設けられ、
前記表面側ケースと前記裏面側ケースとの他方には、前記第２の係合用突起部に係合させる切り込み部が設けられている
パッケージ。
【請求項３】
請求項２記載のパッケージにおいて、
前記表面側ケースと裏面側ケースの少なくとも一方の上部に、つり下げ用の透孔を設け、
前記表面側ケースと裏面側ケースの少なくとも一方の下部に、パッケージ直立用突起部を設けた
パッケージ。
【請求項４】
請求項３記載のパッケージにおいて、
前記表面側ケースと前記裏面側ケースとが連続して樹脂成形される面を、各ケースの下面として、その連続した面を折り曲げて形成される直線部と、前記パッケージ直立用突起部とで、直立させる形状としたパッケージ。
【請求項５】
請求項３記載のパッケージにおいて、
前記パッケージ直立用突起部の内部に、前記製品を認識するのに必要な情報を記載した印刷物を収納させ、前記情報をパッケージの底面側から見えるようにした
パッケージ。
【請求項６】
請求項２記載のパッケージにおいて、
前記裏面側ケースの中央には、平面部を設け、
前記平面部に複数箇所の凸部を設けた
パッケージ。
【請求項７】
請求項２記載のパッケージにおいて、
パッケージ内に収納される製品として、前記表面側ケースから見える側の製品の装飾状態と、前記裏面側ケースから見える側の製品の装飾状態とを変えるようにしたパッケージ。
【手続補正２】
【補正対象書類名】明細書
【補正対象項目名】００１０
【補正方法】変更
【補正の内容】
【００１０】
本発明は、少なくとも一部が透明な樹脂で成形された表面側ケースと裏面側ケースとを接合して、内部に物品が収納されるパッケージにおいて、表面側ケースと、裏面側ケースとが連続して樹脂成形される形状とし、表面側ケースと裏面側ケースとには、それぞれのケースどうしを係合させるように切り込みが形成された第１の係合用突起部がそれぞれ設けられている構成としたものである。
【手続補正３】
【補正対象書類名】明細書
【補正対象項目名】００１１
【補正方法】変更
【補正の内容】
【００１１】
このようにしたことで、表面側ケースと裏面側ケースとを重ね合わせて、それぞれのケースの第１の係合用突起部の他方のケースの第１の係合用突起部の切り込みへの係合で、両ケースを接合することができ、物品を収納状態とすることができる。
【手続補正４】
【補正対象書類名】明細書
【補正対象項目名】００１２
【補正方法】変更
【補正の内容】
【００１２】
本発明によると、表面側ケースと裏面側ケースとを重ね合わせて、それぞれのケースの第１の係合用突起部の他方のケースの第１の係合用突起部の切り込みへの係合で、両ケースを接合することができ、製品を収納状態とすることができる。従って、従来のクラムシェルパッケージのように、パッケージを切り開くようなことをすることなく、簡単にパッケージを開けることができ、また一度パッケージを開けた後でも、簡単に再度、そのパッケージを閉じることができる。
【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
車両のステアリングシャフトに組み込み、雄軸と雌軸をトルク伝達可能に且つ軸方向に相対移動可能に嵌合した車両ステアリング用伸縮軸において、
前記雄軸又は雌軸の少なくとも一方の嵌合歯の表面に、微小な凹凸が形成してあることを特徴とする車両ステアリング用伸縮軸。
【請求項２】
前記凹凸のある表面は、素材内部より、硬くなっており、その厚さが１μｍ〜１００μｍである硬化層を構成していることを特徴とする請求項１に記載の車両ステアリング用伸縮軸。
【請求項３】
前記凹凸のある表面硬化層は、ショットピーニング加工によって形成してあることを特徴とする請求項１又は２に記載の車両ステアリング用伸縮軸。
【請求項４】
前記ショットピーニング加工用メディアの表面に、二硫化モリブデンを含む樹脂が被覆してあり、
ショットピーニング加工処理をする際に、二硫化モリブデンを含む樹脂は、前記雄軸又は雌軸の嵌合歯の表面に転写されることを特徴とする請求項３に記載の車両ステアリング用伸縮軸。
【手続補正２】
【補正対象書類名】明細書
【補正対象項目名】０００１
【補正方法】変更
【補正の内容】
【０００１】
本発明は、車両のステアリングシャフトに組込み、雄軸と雌軸を相互にトルク伝達可能に且つ軸方向に相対移動可能に嵌合した車両ステアリング用伸縮軸に関する。
【手続補正３】
【補正対象書類名】明細書
【補正対象項目名】００１２
【補正方法】変更
【補正の内容】
【００１２】
上記の目的を達成するため、本発明の請求項１に係る車両ステアリング用伸縮軸は、車両のステアリングシャフトに組み込み、雄軸と雌軸をトルク伝達可能に且つ軸方向に相対移動可能に嵌合した車両ステアリング用伸縮軸において、
前記雄軸又は雌軸の少なくとも一方の嵌合歯の表面に、微小な凹凸が形成してあることを特徴とする。
【手続補正書】
【提出日】平成18年8月31日(2006.8.31)
【手続補正１】
【補正対象書類名】特許請求の範囲
【補正対象項目名】請求項４
【補正方法】変更
【補正の内容】
【請求項４】
前記受信手段が前記合格信号を受信した回数を計数する第１計数手段と、
前記排斥手段の下流側において、前記搬送路を通る物品を計数する第２計数手段と、
前記第１計数手段による計数値と前記第２計数手段による計数値とが一致しない場合に警報を発する警報手段と、
を更に備えることを特徴とする請求項１乃至請求項３のいずれか１項に記載の選別装置。
【手続補正書】
【提出日】平成17年10月21日(2005.10.21)
【手続補正１】
【補正対象書類名】明細書
【補正対象項目名】００３２
【補正方法】変更
【補正の内容】
【００３２】
基板間処理ユニット２１ａ，２１ｂは一対の円盤カッタ２２ａ，２２ｂと粘着手段２３ａ，２３ｂと支え台２４ａ，２４ｂをそれぞれ有している。一対の円盤カッタ２２ａ，２２ｂと粘着手段２３ａ，２３ｂはレジストフィルム５ａ，５ｂ側に位置し、支え台２４ａ，２４ｂはベースフィルム６ａ，６ｂ側に位置している。
【手続補正２】
【補正対象書類名】明細書
【補正対象項目名】００３３
【補正方法】変更
【補正の内容】
【００３３】
一対の円盤カッタ２２ａ，２２ｂと粘着手段２３ａ，２３ｂは支え台２４ａ，２４ｂにフィルム７ａ，７ｂを押し付けながら図に垂直な方向、即ち各フィルム７ａ，７ｂの幅方向に移動し、各フィルム７ａ，７ｂの厚さ方向においてベースフィルム６ａ，６ｂは切断しないようにしながらレジストフィルム５ａ，５ｂを切断する。その切断に合わせて、各一対の円盤カッタ２２ａ，２２ｂ間のレジストフィルム５ａ，５ｂを粘着手段２３ａ，２３ｂでベースフィルム６ａ，６ｂから剥離して、剥離した個所のベースフィルム６ａ，６ｂを露出させていく（なお、この基板間処理ユニット２１ａ，２１ｂの一例を示すものとして特開２００２−１０４７１９号公報に示すものがある）。
【手続補正３】
【補正対象書類名】明細書
【補正対象項目名】００６８
【補正方法】変更
【補正の内容】
【００６８】
なお、両センサ９ａ，９ｂのどちらかがフィルムロール２ａ，２ｂの残量が前以て設定してある値より少ないことを検知し、フィルムロール交換の警報が発せられると、フィルム貼付中のガラス基板１１への貼付終了後に、両フィルムロール２ａ，２ｂは新しいものと交換し、図４の状態から再始動する。
【手続補正書】
【提出日】平成18年9月20日(2006.9.20)
【手続補正１】
【補正対象書類名】特許請求の範囲
【補正対象項目名】全文
【補正方法】変更
【補正の内容】
【特許請求の範囲】
【請求項１】
支持体上に平均二次粒子径５００ｎｍ以下の無機微粒子及び樹脂バインダーを含有する少なくとも１層のインク受容層を設けた記録材料において、該インク受容層がホウ素化合物及び一級アミノ基を分子内に２個以上有する化合物を含有し、且つ樹脂バインダーとしてケト基を有する樹脂バインダーを含有することを特徴とするインクジェット用記録材料。
【請求項２】
前記樹脂バインダーとして、ケト基を有する樹脂バインダー及び未変成ポリビニルアルコールを含有し、ケト基を有する樹脂バインダーと未変成ポリビニルアルコールの質量比が３／７〜７／３であることを特徴とする請求項１に記載のインクジェット用記録材料。
【請求項３】
支持体上に平均二次粒子径５００ｎｍ以下の無機微粒子及び樹脂バインダーを含有する少なくとも１層のインク受容層を設けたインクジェット用記録材料の製造方法において、支持体に、ホウ素化合物及び一級アミノ基を分子内に２個以上有する化合物を含有し、且つ樹脂バインダーとしてケト基を有する樹脂バインダーを含有する塗工液を塗布し、１０℃以下の冷風で塗工液をゲル化させた後、乾燥終了点の温度が５０℃以上で乾燥することを特徴とするインクジェット用記録材料の製造方法。
【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
車両用空調装置の冷凍サイクルに装備され、液相冷媒を一時的に貯留するとともに冷媒中の水分や異物を除去するレシーバドライヤであって、
冷媒を貯留する中空の本体と、冷凍サイクルを流れる冷媒を前記本体内に流入させる流入口と、前記本体内の冷媒を冷凍サイクルに向けて流出させる流出口と、前記本体内の冷媒を外気中に放出する通路と、該通路を開閉する電磁弁と、を具備することを特徴とするレシーバドライヤ。
【請求項２】
前記本体は一端部が開口した筒状のもので、該開口を封止する封止部材を有するとともに、該封止部材に前記流入口及び前記流出口を設けたことを特徴とする請求項１記載のレシーバドライヤ。
【請求項３】
前記封止部材は外方に向けて突出するように形成された一対のパイプ状の突出部を有しており、各突出部の内部を前記流入口又は前記流出口としたことを特徴とする請求項２記載のレシーバドライヤ。
【請求項４】
前記本体には、前記本体内に連通する弁室と、該弁室と外気とを連通する通路と、該通路と前記弁室との間に形成された弁座と、が設けられ、前記電磁弁は、前記弁座に接離して前記通路を開閉する弁体と、該弁体を開閉方向に移動させるプランジャと、を有することを特徴とする請求項１記載のレシーバドライヤ。
【請求項５】
前記電磁弁は、前記プランジャを閉弁方向に付勢するスプリングと、電磁コイルと、該電磁コイルが発生させる磁力により前記プランジャを前記スプリングの付勢力に抗して開弁方向に移動させる吸引子と、を有することを特徴とする請求項４記載のレシーバドライヤ。
【手続補正２】
【補正対象書類名】明細書
【補正対象項目名】０００６
【補正方法】変更
【補正の内容】
【０００６】
本発明のレシーバドライヤは、車両用空調装置の冷凍サイクルに装備され、液相冷媒を一時的に貯留するとともに冷媒中の水分や異物を除去するレシーバドライヤであって、
冷媒を貯留する中空の本体と、冷凍サイクルを流れる冷媒を前記本体内に流入させる流入口と、前記本体内の冷媒を冷凍サイクルに向けて流出させる流出口と、前記本体内の冷媒を外気中に放出する通路と、該通路を開閉する電磁弁と、を具備することを特徴とする。
【手続補正３】
【補正対象書類名】明細書
【補正対象項目名】０００７
【補正方法】変更
【補正の内容】
【０００７】
そして、前記本体は一端部が開口した筒状のもので、該開口を封止する封止部材を有するとともに、該封止部材に前記流入口及び前記流出口を設けたことを特徴とするものである。
また、前記封止部材は外方に向けて突出するように形成された一対のパイプ状の突出部を有しており、各突出部の内部を前記流出口としたことを特徴とするものである。
さらに、前記本体には、前記本体内に連通する弁室と、該弁室と外気とを連通する通路と、該通路と前記弁室との間に形成された弁座と、が設けられ、前記電磁弁は、前記弁座に接離して前記通路を開閉する弁体と、該弁体を開閉方向に移動させるプランジャと、を有することを特徴とする。
そして、前記電磁弁は、前記プランジャを閉弁方向に付勢するスプリングと、電磁コイルと、該電磁コイルが発生させる磁力により前記プランジャを前記スプリングの付勢力に抗して開弁方向に移動させる吸引子と、を有することを特徴とする。
【手続補正４】
【補正対象書類名】明細書
【補正対象項目名】００１１
【補正方法】変更
【補正の内容】
【００１１】
図１は本発明のレシーバドライヤの一実施例を示す断面図である。
全体を符号１で示すレシーバドライヤは、一端部が開口する有底の中空の本体１０を有する。この本体１０は、例えばアルミ合金の素材を冷間鍛造加工により細長い有底円筒形に成形されるものである。アルミ合金は加工性が良いので、例えば底部より外側に延長して設けられるボス部２０も一体に形成することができる。
【手続補正５】
【補正対象書類名】明細書
【補正対象項目名】００１３
【補正方法】変更
【補正の内容】
【００１３】
封止部材４０は、円盤形状の封止部４１と、封止部４１から突出する一体に形成された角柱状の取付部４２とを有し、取付部４２には冷媒の流入路４４と冷媒の流出路４６がそれぞれＬ字形状に設けられ、これらの端部（突出部）４４ａ、４６ａは封止部材４０から外方に向けて突出するパイプ状に形成されている。
【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
支持体上に無機微粒子と親水性バインダーを含有する少なくとも２層のインク受容層を塗設したインクジェット用記録材料において、支持体に近いインク受容層Ａが気相法シリカ及び湿式法シリカを水性媒体中で平均二次粒子径５００ｎｍ以下に粉砕した微粒子を夫々含有し、支持体から離れたインク受容層Ｂが気相法シリカまたはアルミナ系微粒子を含有することを特徴とするインクジェット用記録材料。
【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
インクを吐出することにより画像を記録する画像記録部と、
前記インクを前記画像記録部へと供給するインク供給部と、
少なくとも前記インク供給部の駆動を制御する制御部とを具備し、
前記インク供給部は、前記インクを貯留し、前記インクを流出させるための開閉自在な弁を備えたインク出口を有する少なくとも１つのインクボトルと、
前記インクボトルを着脱自在に保持するとともに、前記インク出口を接続するためのインク出口接続部を有しているボトルホルダと、
前記インクボトルが前記ボトルホルダの所定位置に配設されたことを検出する検出手段と、
前記インク出口の弁を開閉する弁開閉機構と、
を有し、
前記制御部は、前記検出手段からの検出信号を受信してから所定時間経過した後に、前記弁開閉機構を駆動させて前記インクボトルのインク出口の弁を開放させる画像記録装置。
【請求項２】
前記インク供給部は、前記インクボトルが前記ボトルホルダにおける所定位置に配設された際に閉鎖完了位置に配設される開閉可能なカバーを有し、
前記検出手段は、前記カバーが前記閉鎖完了位置に配設されたことを検出するカバーセンサを有している請求項１に記載の画像記録装置。
【請求項３】
前記インク供給部は、前記ボトルホルダに装着される前記インクボトルが適切かどうかを識別する識別センサを有しており、
前記制御部は、前記識別センサの出力に基づき、前記ボトルホルダに対して不適切なインクボトルが装着されたと識別した場合には、前記弁開閉機構を駆動させず、前記インクボトルのインク出口の弁を開放させないことを特徴とする請求項１に記載の画像記録装置。
【請求項４】
さらに、ユーザーにエラーを報知させる報知部を有し、
前記制御部は、前記識別センサの出力に応じて、前記報知部を通じてユーザーに前記インクボトルの装着エラーを報知させる請求項３に記載の画像記録装置。
【請求項５】
前記カバーは、前記インクボトルのうち、一つでも前記ボトルホルダにおける所定位置に配設されていないインクボトルが有る場合に、前記閉鎖完了位置に配設されないように構成されている請求項２に記載の画像記録装置。
【請求項６】
前記ボトルホルダの前記所定位置に配設されているときのインクボトルは、前記カバーの前記閉鎖完了位置への移動を阻害せず、
前記ボトルホルダ内に配設されているものの前記所定位置以外に配設されているときのインクボトルは、前記カバーの前記閉鎖完了位置への移動軌跡上に位置し、前記カバーの閉鎖を直接阻害するように、前記カバーに対して前記所定位置が設定される請求項２に記載の画像記録装置。
【請求項７】
前記制御部は、前記カバーが前記閉鎖完了位置から開放されたときの前記カバーセンサの出力に応じて、直ちに前記弁開閉機構を駆動させ、前記インクボトルのインク出口の弁を閉鎖させる請求項２に記載の画像記録装置。
【請求項８】
さらに、ユーザーにインクボトルの取り出しを報知させる報知部を有し、
前記制御部は、前記インク出口の弁の閉鎖が完了したところで、その旨をユーザーに報知する請求項７に記載の画像記録装置。
【請求項９】
さらに、前記所定位置に配設されたインクボトル内のインク温度を検出する温度検出手段を有し、
前記制御手段は、前記温度検出手段の検出結果に応じて、前記検出手段からの検出信号を受信してから前記インク出口の弁を開放させるまでの時間を設定する請求項１に記載の画像記録装置。
【請求項１０】
前記インクボトルを接続した際に、所定の保持力でもって当該インクボトルを保持する保持部材と、
前記インクボトルを接続した際に、所定の付勢力でもって、当該インクボトルを接続解除方向に付勢する付勢部材とを有し、
前記付勢部材の付勢力は、前記保持力より弱く設定されている請求項１に記載の画像記録装置。
【手続補正２】
【補正対象書類名】明細書
【補正対象項目名】００１４
【補正方法】変更
【補正の内容】
【００１４】
インク供給部７０は、画像記録部２０に対して、インク供給源からのインクを供給するための供給手段である。このインク供給部７０は、インクが貯留されたインク供給源であるインクボトル７４を取り付けるためのボトルホルダ７３と、ボトルホルダ７３と画像記録部２０とを接続するインク供給路である接続チューブ７２ｂと、接続チューブ７２ｂの開閉を行う接続チューブ弁７２ｈと、ボトルホルダからの廃インクを回収する廃液タンク６７とを有している。
【手続補正３】
【補正対象書類名】明細書
【補正対象項目名】００４６
【補正方法】変更
【補正の内容】
【００４６】
通気口カバー７３ＥＢは、ボトル通気口７４Ａが通気口接続部７３Ｅに完全に接続された際に、カバー突起部７４ＡＢｃと嵌合するカバー凹部７３ＥＢａを有している。カバー凹部７３ＥＢａは、通気口カバーＥＢの内周面に設けられている。なお、このようにインクボトル７４とボトル接続部７３Ｃとが接続された位置を、図５中に示されるように、接続位置とする。
【手続補正４】
【補正対象書類名】明細書
【補正対象項目名】０１０７
【補正方法】変更
【補正の内容】
【０１０７】
開閉駆動部７３Ｇは、離間駆動命令信号を受けると、ロック板駆動手段７３Ｇｄを駆動させ、ロック板７３ＧＣを回動し、再び爪部７３ＧＣｂを回転板７３ＧＡに引っ掛けるとともに、回転板７３ＧＡを回転板初期位置に戻す。これにより、インク出口接続部弁７３ＦＣは、出口弁押圧部７３ＧＡｂによる押圧が解除される。このように押圧が解除されると、インク出口接続部弁７３ＦＣは、出口流路開口７３ＦＢａを閉鎖し、流路弁７４ＢＣは、流路開口７４ＢＢａを閉鎖する。なお、制御部９０は、全てのボトルホルダ７３のインク出口接続部弁７３ＦＣの閉鎖が完了した際、出力部９２を介して、ユーザーにインクが取り出し可能な旨を報知する。なお、上記閉鎖の完了は、開閉駆動部７３Ｇの状態でピックアップすることにより検知することも可能であるし、ボトル接続部７３Ｃの弁であるインク出口接続部弁７３ＦＣ、又は、インク出口の弁である流路弁７４ＢＣの閉鎖を直接ピックアップすることにより検知することも可能である。
【手続補正書】
【提出日】平成18年6月14日(2006.6.14)
【手続補正１】
【補正対象書類名】明細書
【補正対象項目名】特許請求の範囲
【補正方法】変更
【補正の内容】
【特許請求の範囲】
【請求項１】  1,4-ビス(アルコキシメチル)ベンゼンと2,4-位に少なくとも1個のメチロール基を有するフェノールとの重縮合反応物であるメチロール基含有フェノールキシレリン樹脂または4,4′-ビス(アルコキシメチル)ビフェニルと2,4-位に少なくとも1個のメチロール基を有するフェノールとの重縮合反応物であるメチロール基含有フェノールビフェニル樹脂100重量部、レゾール型フェノール樹脂10〜1000重量部、ノボラック型フェノール樹脂0〜1000重量部、未加硫のニトリルゴム10〜1000重量部および塩素化ポリエチレン10〜500重量部を含有してなる、金属とニトリル含量が18〜48％のニトリルゴムまたは水素化ニトリルゴムとの加硫接着に用いられる加硫接着剤組成物。
【請求項２】  有機溶剤溶液として調製された請求項１記載の加硫接着剤組成物。
【請求項３】  請求項１または２記載の加硫接着剤組成物を用いて加硫接着された金属とニトリルゴムまたは水素化ニトリルゴムとの複合シール部品。
【請求項４】  冷媒用シールとして用いられる請求項３記載の複合シール部品。
【手続補正書】
【提出日】平成18年2月3日(2006.2.3)
【手続補正１】
【補正対象書類名】明細書
【補正対象項目名】請求項２
【補正方法】変更
【補正の内容】
【請求項２】  式（Ｉ）で表わされる化合物を、１〜３０重量％の割合で含む、請求項１に記載の液晶媒体。【手続補正２】
【補正対象書類名】明細書
【補正対象項目名】請求項３
【補正方法】変更
【補正の内容】
【請求項３】  液晶媒体であって、  ａ）式（Ｉ）で表わされる化合物を３〜１０重量％、  ｂ）１種または２種以上の一般式（ＩＩ）で表わされる化合物を１０〜５０重量％、    【化２】2003261873.tif 000001
はそれぞれ相互に独立して、    【化３】2003261873.tif 000002
であり、  Ｚ1およびＺ2は、それぞれ相互に独立して、単結合、−ＣＨ2−ＣＨ2−、ＣＦ2ＣＦ2、−ＣＯＯ−または−ＣＦ2Ｏ−であり、  Ｘは、Ｆ、Ｃｌ、−ＯＣＦ3または−ＯＣＦ2ＣＦ3であり、  Ｒは、水素、そしてまたは炭素原子１〜１５個および炭素原子２〜１５個をそれぞれ有するアルキル基もしくはアルケニル基であり、この基は未置換であるか、または１個の−ＣＮまたは−ＣＦ3により置換されていてもよく、または少なくとも１個のハロゲンにより置換されていてもよく、これらの基中に存在する１個または２個以上の−ＣＨ2− 基は、それぞれ相互に独立し、酸素原子が相互に直接に結合しないものとして、−Ｏ−、−Ｓ−、    【化４】2003261873.tif 000003
−ＣＯ−、−ＣＯＯ−、−ＯＣＯ−または−ＯＣＯＯ−により置き換えられていてもよく、  ｃ）１種または２種以上の一般式（ＩＩＩ）および／または（ＩＶ）で表わされる化合物を１０〜５０重量％、    【化５】2003261873.tif 000004
式中、    【化６】2003261873.tif 000005
ＲおよびＸは上記定義のとおりであり、Ｒ1およびＲ2はそれぞれ相互に独立し、Ｒについて定義されているとおりであり、およびＺはＺ1について定義されているとおりであり、  ｄ）１種または２種以上の一般式（Ｖ）および／または（ＶＩ）で表わされる化合物を１０〜４０重量％、    【化７】2003261873.tif 000006
式中、Ｒ1およびＲ2はそれぞれ相互に独立し、上記定義のとおりであり、および  ｅ）１種または２種以上の追加の液晶化合物を０〜１５重量％；含む、請求項１または２に記載の液晶媒体。【手続補正３】
【補正対象書類名】明細書
【補正対象項目名】請求項５
【補正方法】変更
【補正の内容】
【請求項５】  一般式（ＩＩ）において、少なくとも１個の基Ｚ1またはＺ2が、単結合である、請求項３または４に記載の液晶媒体。【手続補正４】
【補正対象書類名】明細書
【補正対象項目名】請求項１０
【補正方法】変更
【補正の内容】
【請求項１０】  成分ｂ）が、１種または２種以上の一般式（ＩＩａ）および／または（ＩＩｂ）で表わされる化合物を少なくとも５０重量％の割合で含む、請求項１〜９のいずれかに記載の液晶媒体。【手続補正５】
【補正対象書類名】明細書
【補正対象項目名】請求項１１
【補正方法】変更
【補正の内容】
【請求項１１】  成分ｂ）が、１種または２種以上の一般式（ＩＩａ）で表わされる化合物を少なくとも５０重量％の割合で含む、請求項１０に記載の液晶媒体。【手続補正６】
【補正対象書類名】明細書
【補正対象項目名】請求項１２
【補正方法】変更
【補正の内容】
【請求項１２】  成分ｃ）が、１種または２種以上の一般式（ＩＶａ）〜（ＩＶｄ）で表わされる化合物を少なくとも５０重量％の割合で含む、請求項３〜１１のいずれかに記載の液晶媒体。【手続補正７】
【補正対象書類名】明細書
【補正対象項目名】請求項１３
【補正方法】変更
【補正の内容】
【請求項１３】  成分ｄ）が、１種または２種以上の一般式（Ｖａ）、（ＶＩａ）および／または（ＶＩｂ）で表わされる化合物を少なくとも５０重量％の割合で含む、請求項３〜１２のいずれかに記載の液晶媒体。
【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】
ａ）触媒を供給する工程と、
ｂ）これらの触媒を使用してモノマーの重合を行う工程と、
ｃ）工程ｂ）で得られたポリマーを単離する工程と、
ｄ）前記ポリマーの特性決定を行う工程と、
を含む一種類の重合触媒の複数のバッチの品質決定方法であって、前記方法は、ｎ個の容器の集合体中で実質的に自動的に行われ、工程ａ）〜ｄ）のすべては並行して実施されるか、すべてが逐次実施されるか、工程ａ）〜ｄ）の一部が並行して実施され残りが逐次実施されるかであり、ｎは２以上の自然数である方法。
【請求項２】
ｎが１２以上である請求項１に記載の方法。
【請求項３】
前記工程ｂ）および／またはｃ）および／または必要に応じてｄ）が並行して実施される請求項１または２に記載の方法。
【請求項４】
前記重合触媒が、オレフィンまたはビニル芳香族化合物の重合用の触媒である請求項１から３のいずれか１項に記載の方法。
【請求項５】 
記工程ｄ）が、キシレン溶解性材料の比率の測定（ＸＳ測定）および／または重合活性の測定を行う工程である請求項１から４のいずれか１項に記載の方法。
【請求項６】
前記触媒がメタロセン触媒である請求項１から５のいずれか１項に記載の方法。
【請求項７】
Ａ）合成モジュールと、Ｂ）溶解性および不溶性ポリマー分画を測定するための分析モジュールとから実質的になる、重合触媒の品質を実質的に自動的に測定する装置であって、Ａ）および／またはＢ）のそれぞれは、少なくとも４つの容器を含み、Ａ）またはＢ）の容器のそれぞれの累積容積は各場合で１０００００ｍｌ以下である装置。
【請求項８】 
キシレン溶解性およびキシレン不溶性ポリマー分画を測定する分析モジュールＢ）を含む請求項７に記載の装置。
【請求項９】
重合触媒の品質を測定するための請求項７または８に記載の装置の使用法。
【請求項１０】 
溶解性および不溶性ポリマー分画を実質的に自動的に測定するための装置であって、少なくとも４つの容器の集合体、計量装置、撹拌および／または振盪装置、前記容器のそれぞれの加熱および／または冷却設備、および前記機能の制御ユニットを含み、前記容器の累積容積が１０００００ｍｌ以下である装置。
【手続補正２】
【補正対象書類名】明細書
【補正対象項目名】００１２
【補正方法】変更
【補正の内容】
【００１２】
【課題を解決するための手段】
本発明者らは、上記目的が、
ａ）触媒を供給する工程と、
ｂ）これらの触媒を使用してモノマーの重合を行う工程と、
ｃ）工程ｂ）で得られたポリマーを単離する工程と、
ｄ）ポリマーの特性決定を行う工程と、
を含む一種類の重合触媒の複数のバッチの品質決定方法（この方法は、ｎ個の容器の集合体中で実質的に自動的に行われ、工程ａ）〜ｄ）のすべては並行して実施されるか、すべてが逐次実施されるか、工程ａ）〜ｄ）の一部が並行して実施され残りが逐次実施されるかであり、ｎは２以上の自然数である）と、Ａ）合成モジュールと、Ｂ）溶解性および不溶性ポリマー分画を測定するための分析モジュールとから実質的になる、重合触媒の品質を実質的に自動的に測定する装置（ここでＡ）および／またはＢ）のそれぞれは、少なくとも４つの容器を含み、Ａ）またはＢ）の容器のそれぞれの累積容積は各場合で１０００００ｍｌ以下である）と、重合触媒の品質を測定するこの装置の使用と、によって実現されることを発見した。
【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】
ａ）少なくとも一つの有機顔料、
ｂ）少なくとも一つの立体障害アミン光安定剤、及び
ｃ）ＵＶ（紫外線）吸収剤として、２−ヒドロキシフェニルベンゾトリアゾール及び２−ヒドロキシフェニル−ｓ−トリアジンの混合物
を含むポリオレフィン組成物。
【請求項２】
フェノール性酸化防止剤、ホスフィット、又はホスホナイト及びベンゾフラノン又はインドリノンからなる群から選択された更なる安定剤を付加的に含む請求項１記載のポリオレフィン組成物。
【請求項３】
無機顔料を付加的に含む請求項１記載のポリオレフィン組成物。
【請求項4】
光、熱、又は酸化によって誘発される分解に対し、有機顔料を少なくとも一つ含むポリオレフィンを安定化させる方法であって、
ａ）少なくとも一つの立体障害アミン光安定剤、及び
ｂ）ＵＶ（紫外線）吸収剤として、２−ヒドロキシフェニルベンゾトリアゾール及び２−ヒドロキシフェニル−ｓ−トリアジンの混合物
を含む安定剤混合物を、着色ポリオレフィンへ混和することを含む方法。
【手続補正書】
【提出日】平成17年12月26日(2005.12.26)
【手続補正１】
【補正対象書類名】明細書
【補正対象項目名】特許請求の範囲
【補正方法】変更
【補正の内容】
【特許請求の範囲】
【請求項１】  （ａ）オキサゾリドン環構造を有するエポキシ樹脂を含むエポキシ樹脂成分と、（ｂ）硬化剤と、（ｃ）前記エポキシ樹脂成分に溶解可能な熱可塑性樹脂を前記エポキシ樹脂成分１００質量部に対して２０〜１００質量部含有し、硬化物の平行光線透過率が３０％以上であることを特徴とするエポキシ樹脂組成物。
【請求項２】  前記（ａ）エポキシ樹脂成分は、さらにビスフェノールＳ型エポキシ樹脂を含むことを特徴とする請求項１記載のエポキシ樹脂組成物。
【請求項３】  前記（ｂ）硬化剤がジシアンジアミドを含み、該ジアシンアミド含有量が前記（ａ）エポキシ樹脂成分１００質量部当たり３質量部以下であることを特徴とする請求項１記載のエポキシ樹脂組成物。
【請求項４】  請求項１記載のエポキシ樹脂組成物を補強材に含浸してなる自己接着性プリプレグ。
【請求項５】  前記補強材が織物である請求項４記載の自己接着性プリプレグ。
【手続補正２】
【補正対象書類名】明細書
【補正対象項目名】００１０
【補正方法】変更
【補正の内容】
【００１０】
【課題を解決するための手段】
本発明者らは、上記目的を達成すべく鋭意研究した結果、本発明を完成した。すなわち、本発明は、（ａ）オキサゾリドン環構造を有するエポキシ樹脂を含むエポキシ樹脂成分と、（ｂ）硬化剤と、（ｃ）前記エポキシ樹脂成分に溶解可能な熱可塑性樹脂を前記エポキシ樹脂成分１００質量部に対して２０〜１００質量部含有し、硬化物の平行光線透過率が３０％以上であることを特徴とするエポキシ樹脂組成物である。
本発明のエポキシ樹脂組成物は、前記（ａ）エポキシ樹脂成分が、さらにビスフェノールＳ型エポキシ樹脂を含むことが、耐熱性を向上させる点で好ましい。
また本発明のエポキシ樹脂組成物は、前記（ｂ）硬化剤がジシアンジアミドを含み、該ジアシンアミド含有量が前記（ａ）エポキシ樹脂１００質量部当たり３質量部以下であることが、外観向上の点で好ましい。
本発明はまた、かかる エポキシ樹脂組成物を補強材に含浸してなる自己接着性プリプレグを提供するものである。
本発明の自己接着性プリプレグは、前記補強材が織物である場合、外観が更に際立つ為好ましい。
【手続補正書】
【提出日】平成17年12月15日(2005.12.15)
【手続補正１】
【補正対象書類名】明細書
【補正対象項目名】０００５
【補正方法】変更
【補正の内容】
【０００５】
開放型ＭＲＩシステムにおいて、望ましいシステムの開放性を維持しながら撮像に悪影響を及ぼす振動を減少させるようなマグネット配置が必要である。
【特許文献１】米国特許第６３４０８８８号
【手続補正書】
【提出日】平成17年12月15日(2005.12.15)
【手続補正１】
【補正対象書類名】明細書
【補正対象項目名】０００５
【補正方法】変更
【補正の内容】
【０００５】
心拍出量監視は、上述のような病状を診断するのに役立つことが見出されている。心拍出量の非侵襲性監視についてのインピーダンス心拍記録技術は、当該技術分野において周知である。しかしながら、心拍出量監視が可能な既存の装置は、利用するのに面倒である。したがって、心拍出量監視が可能な、改良された患者監視システム及び方法は非常に有益であろう。
【特許文献１】米国特許第５９５６０１３号
【手続補正書】
【提出日】平成17年11月14日(2005.11.14)
【手続補正１】
【補正対象書類名】明細書
【補正対象項目名】発明の名称
【補正方法】変更
【補正の内容】
【発明の名称】咬合分析装置及び咬合分析方法
【手続補正２】
【補正対象書類名】明細書
【補正対象項目名】特許請求の範囲
【補正方法】変更
【補正の内容】
【特許請求の範囲】
【請求項１】  下顎運動を再現させる咬合器に取り付けるものであって、前後、左右に回動可能に支持され且つ上下に移動可能な歯列模型調整板を備えたことを特徴とする咬合分析装置。
【請求項２】  歯列模型調整板は、左右に分割し、個別に前後に回動可能に支持したものである請求項１記載の咬合分析装置。
【請求項３】  歯列模型調整板は、回転可能としたものである請求項１記載の咬合分析装置。
【請求項４】  歯列模型調整板の前方部に、アイポインツパラレルチェッカーを備えたものである請求項１記載の咬合分析装置。
【請求項５】  歯列模型調整板は、ウィルソンの湾曲に形成したものである請求項１記載の咬合分析装置。
【請求項６】  下顎運動を再現させるフェイス・ボウ・トランスファーに用いるものであって、本体両側に仮想咬合平面記録具を備えたことを特徴とするフェイス・ボウ。
【請求項７】  下顎運動を再現させるフェイス・ボウ・トランスファーに用いるものであって、本体正面にアイポインツチェッカーを備えたことを特徴とするフェイス・ボウ。
【請求項８】  フェイス・ボウの正面に設けたアイポインツチェッカーで記録した瞳孔線を再現させるもので、瞳孔線表示部と、該瞳孔線表示部を回動可能に支持し下顎運動を再現させる咬合器のインサイザルピンに上下動可能に取り付ける支持部と、によって構成したことを特徴とするアイポインツパラレルチェッカー。
【請求項９】  フェイス・ボウ・トランスファーにより顎関節と上顎の位置関係及び仮想咬合平面をフェイス・ボウに記録した後、前後、左右、上下に調整する歯列模型調整板を備えた咬合分析装置を取り付けた咬合器に該フェイス・ボウをセットし、該フェイス・ボウの仮想咬合平面の記録を、該咬合分析装置の歯列模型調整板に再現することを特徴とする咬合分析方法。
【請求項１０】  フェイス・ボウ・トランスファーにより瞳孔線を記録し、これを咬合分析装置に備えたアイポインツパラレルチェッカーに再現するものである請求項９記載の咬合分析方法。
【請求項１１】  フェイス・ボウ・トランスファーによりフェイス・ボウの正面に設けたアイポインツチェッカーで瞳孔線を記録した後、咬合器に該アイポインツチェッカーをセットし、該瞳孔線の記録を、該咬合器のインサイザルピンに設けたアイポインツパラレルチェッカーに再現することを特徴とする咬合分析方法。
【手続補正書】
【提出日】平成17年11月30日(2005.11.30)
【手続補正１】
【補正対象書類名】明細書
【補正対象項目名】特許請求の範囲
【補正方法】変更
【補正の内容】
【特許請求の範囲】
【請求項１】患者に液体を注入する電気的に動力供給されるポンプ手段と、
該ポンプ手段に電力供給するバッテリと、
該バッテリからの電圧および電流をモニタする回路手段と、
該モニタする手段に応答して該バッテリの充電の残り時間を決定する手段と、
該バッテリの充電の残り時間を表示する表示手段と、
を備えた注入ポンプであって、
該電流をモニタする回路手段および該電圧をモニタする回路手段が、同じ回路手段を利用している、
注入ポンプ。
【請求項２】前記モニタする回路手段は、前記バッテリの電圧および電流をサンプリングする手段をさらに備えた、請求項１に記載の注入ポンプ。
【請求項３】前記モニタする手段は、前記バッテリの電圧と該バッテリからの電流とを代替的にサンプリングする手段をさらに備えた、請求項１に記載の注入ポンプ。
【請求項４】
注入ポンプのバッテリの電力をモニタする装置であって、
該バッテリの電圧をモニタする回路手段と、
該バッテリからの電流をモニタする回路手段と
該電流をモニタする回路手段と該電圧をモニタする回路手段とに応答して、該バッテリの充電の残り時間を決定する手段と、
該バッテリの充電の残り時間を表示する表示手段と、
を備えた装置であって、
該電流をモニタする回路手段および該電圧をモニタする回路手段が、同じ回路手段を利用している、
装置。
【請求項５】前記電圧をモニタする手段は、前記バッテリの電圧をサンプリングする手段をさらに備えた、請求項４に記載の装置。
【請求項６】前記電流をモニタする手段は、前記バッテリからの電流をサンプリングする手段をさらに備えた、請求項５に記載の装置。
【請求項７】
注入ポンプのバッテリの電力をモニタする装置であって、
該バッテリからの電圧および電流をモニタする回路手段と、
該モニタする回路手段に応答して、該バッテリの充電の残り時間を決定する手段と、
該バッテリの充電の残り時間を表示する表示手段と、
を備えた装置であって、
該電流をモニタする回路手段および該電圧をモニタする回路手段が、同じ回路手段を利用している、
装置。
【請求項８】前記モニタする回路手段は、前記バッテリからの電圧および電流をサンプリングする手段をさらに備えた、請求項７に記載の装置。
【請求項９】前記モニタする回路手段は、前記バッテリの電圧と該バッテリからの電流とを代替的にサンプリングする手段をさらに含む、請求項８に記載の装置。
【請求項１０】
注入ポンプのバッテリをモニタする方法であって、
回路手段を利用して該バッテリの電圧をモニタするステップと、
該電圧をモニタするのと同じ回路手段を利用して該バッテリからの電流をモニタするステップと、
該電圧および該電流から該バッテリの充電の残り時間を決定するステップと、
該バッテリの充電の残り時間を表示するステップと、
を包含する方法。
【請求項１１】
前記バッテリの電圧をモニタするステップは、該バッテリの電圧をサンプリングするステップをさらに包含する、請求項１０に記載の方法。
【請求項１２】
前記バッテリの電流をモニタするステップは、該バッテリの電流をサンプリングするステップをさらに包含する、請求項１１に記載の方法。
【請求項１３】
前記バッテリの電圧をサンプリングするステップと前記バッテリの電流をサンプリングするステップとは、代替的に行われる、請求項１２に記載の方法。
【手続補正書】
【提出日】平成17年12月7日(2005.12.7)
【手続補正１】
【補正対象書類名】明細書
【補正対象項目名】０００４
【補正方法】変更
【補正の内容】
【０００４】
【発明が解決しようとする課題】
ポリウレタン成形品の場合、低い長波長値および短波長値を有する優れた表面品質を獲得するには、製品を表面後処理に付すことが必要となりうる。
本発明の目的は、上記のような欠点を全て解消できる積層ポリウレタン積層品を提供することである。
【手続補正２】
【補正対象書類名】明細書
【補正対象項目名】００１２
【補正方法】変更
【補正の内容】
【００１２】
好適な気泡安定剤は、主として、ポリエーテルシロキサン、特に水溶性のポリエーテルシロキサンである。このような化合物は、一般に、ポリジメチルシロキサン基と結合したエチレンオキシドとプロピレンオキシドとのコポリマーを有する。この種の気泡安定剤は、例えば、米国特許第2,834,748号、第2,917,480号および3,629,308号に開示されており、これらの開示を本明細書に組み込む。多くの場合、アロファネート基によって分岐したポリシロキサン-ポリオキシアルキレンコポリマー（これは、DE-OS-25 58 523に記載され、同DE-OSは、米国特許第4,096,162号および第4,163,830号に開示に相当するものと考えられる。これらの開示を本明細書に組み込む。）が、特に重要である。
【手続補正書】
【提出日】平成18年4月18日(2006.4.18)
【手続補正１】
【補正対象書類名】明細書
【補正対象項目名】特許請求の範囲
【補正方法】変更
【補正の内容】
【特許請求の範囲】
【請求項１】  熱源が内蔵された定着ローラと、該定着ローラに押し付けられる加圧ローラとを備え、前記熱源によって所定の定着温度に設定された前記定着ローラと前記加圧ローラとで記録媒体を挟持して搬送しながら記録媒体の表面にトナーを定着する定着装置における、前記定着ローラ及び前記加圧ローラを清掃するローラクリーニング方法において、
所定のトナー像を前記定着ローラに形成し、
前記所定のトナー像が形成された前記定着ローラを前記定着温度よりも低い温度である所定のクリーニング温度で空回転させることにより前記定着ローラと前記加圧ローラとでトナーを授受し合いながら、前記定着ローラ及び前記加圧ローラに付着している汚れをトナーに取り込み、
前記汚れを取り込んだ前記トナーを定着ローラ及び加圧ローラから取り除くことを特徴とするローラクリーニング方法。
【請求項２】  前記所定のトナー像を前記定着ローラに形成する際に、
記録媒体のトナー像が前記定着ローラに転移する、前記クリーニング温度よりも低い温度であるトナー転移温度に前記定着ローラを保っておき、前記所定のトナー像が転写された記録媒体を前記定着ローラと前記加圧ローラとで挟持しながら搬送することにより、前記所定のトナー像を前記定着ローラに形成することを特徴とする請求項１に記載のローラクリーニング方法。
【請求項３】  前記クリーニング温度は、
前記定着ローラに形成されたトナー像が粘着性を発揮する温度であることを特徴とする請求項１又は２に記載のローラクリーニング方法。
【請求項４】  前記汚れを取り込んだ前記トナーを定着ローラ及び加圧ローラから取り除く際に、
前記定着ローラを前記クリーニング温度に保って空回転した後、前記定着ローラと前記加圧ローラとで記録媒体を挟持しながら搬送することを特徴とする請求項１，２，又は３に記載のローラクリーニング方法。
【請求項５】  前記定着装置は、前記定着ローラの表面温度を検出する温度検出素子及び前記定着ローラから記録媒体を分離する分離爪を備えたものであり、
前記所定のトナー像を前記定着ローラに形成するに先立って、
前記温度検出素子のうち前記定着ローラの表面に向き合う部分及び分離爪に付着した汚れを取り除くために前記定着温度よりも高い温度であるサーミスタクリーニング温度に前記定着ローラを保った後、前記定着ローラと前記加圧ローラとで記録媒体を挟持しながら搬送し、その後、前記所定のトナー像を前記定着ローラに形成する際に、前記定着ローラのうち前記温度検出素子及び前記分離爪が接触する部分には前記トナー像を形成しないことを特徴とする請求項１から４までのうちのいずれか一項に記載のローラクリーニング方法。